(57)【要約】【課題】装置全体を大型化することなく、立体画像の表示に必要な光線群を空間的に高い密度で生成・散布することができる３次元像表示装置を提供する。【解決手段】３次元像表示装置は、離散して配された複数の光出射位置から光を出射する光源１０；光源１０の異なる光出射位置から順次出射され、入射方向が異なる光を各画素によって変調して２次元画像を生成し、且つ、生成した２次元画像における空間周波数を、各画素から生じる複数の回折次数に対応した回折角に沿って射出する光変調手段３０；並びに、光変調手段３０から射出された２次元画像における空間周波数をフーリエ変換して、複数の回折次数に対応する数のフーリエ変換像を生成するフーリエ変換像形成手段４０を備えている。【選択図】  図１
2008216955.tif 000002
【特許請求の範囲】
【請求項１】
（Ａ）離散して配された複数の光出射位置から光を出射する光源、
（Ｂ）複数の画素を有し、光源の異なる光出射位置から順次出射され、入射方向が異なる光を各画素によって変調して２次元画像を生成し、且つ、生成した２次元画像における空間周波数を、各画素から生じる複数の回折次数に対応した回折角に沿って出射する光変調手段、並びに、
（Ｃ）光変調手段から出射された２次元画像における空間周波数をフーリエ変換して、前記複数の回折次数に対応する数のフーリエ変換像を生成し、該フーリエ変換像を結像させるフーリエ変換像形成手段、
を備えていることを特徴とする３次元像表示装置。
【請求項２】
（Ｄ）フーリエ変換像形成手段によって結像されたフーリエ変換像の共役像を形成する共役像形成手段、
を更に備えていることを特徴とする請求項１に記載の３次元像表示装置。
【請求項３】
光源は、２次元マトリクス状に配列された複数の発光素子を具備していることを特徴とする請求項１に記載の３次元像表示装置。
【請求項４】
光源と光変調手段との間にはレンズが配置されており、
光源は、該レンズの前側焦点面に位置することを特徴とする請求項１に記載の３次元像表示装置。
【請求項５】
光源は、発光素子、及び、該発光素子から出射された光であって、光変調手段に入射する光の入射方向を変更するための光線進行方向変更手段を備えていることを特徴とする請求項１に記載の３次元像表示装置。
【請求項６】
フーリエ変換像形成手段はレンズから成り、
該レンズの前側焦点面に光変調手段が配置されていることを特徴とする請求項１に記載の３次元像表示装置。
【請求項７】
（Ｅ）前記複数の回折次数に対応する数だけ生成されたフーリエ変換像の内、所望の回折次数に対応するフーリエ変換像を選択するフーリエ変換像選択手段、
を更に備えており、
該フーリエ変換像選択手段は、フーリエ変換像が結像される位置に配置されていることを特徴とする請求項１に記載の３次元像表示装置。
【請求項８】
フーリエ変換像選択手段は、光出射位置の数に対応した数の開口部を有し、
フーリエ変換像選択手段においては、光変調手段による２次元画像の生成タイミングと同期して所望の開口部を開状態とすることによって、所望の回折次数に対応するフーリエ変換像を選択することを特徴とする請求項７に記載の３次元像表示装置。
【請求項９】
フーリエ変換像形成手段によって結像されたフーリエ変換像を逆フーリエ変換することにより、光変調手段によって生成された２次元画像の実像を形成する逆フーリエ変換手段を更に備えていることを特徴とする請求項１に記載の３次元像表示装置。
【請求項１０】
光変調手段は、２次元的に配列された複数の画素を有する２次元空間光変調器から成り、各画素は開口を備えていることを特徴とする請求項１に記載の３次元像表示装置。
【請求項１１】
光源の異なる光出射位置から順次出射された光の光強度を測定するための光検出手段を備えていることを特徴とする請求項１に記載の３次元像表示装置。
【請求項１２】
光検出手段における光強度の測定結果に基づき、光源の発光状態を制御することを特徴とする請求項１１に記載の３次元像表示装置。
【請求項１３】
光検出手段における光強度の測定結果に基づき、光変調手段の作動状態を制御することを特徴とする請求項１１に記載の３次元像表示装置。
【請求項１４】
（Ａ）離散して配された複数の光出射位置から光を出射する光源、
（Ｂ）Ｘ方向及びＹ方向に沿って２次元マトリクス状に配列された開口を有し、光源の異なる光出射位置から順次出射され、入射方向が異なる光の通過あるいは反射を開口毎に制御することで２次元画像を生成し、且つ、該２次元画像に基づき、開口毎に、複数の回折次数の回折光を生成する２次元画像形成装置、
（Ｃ）その前側焦点面に２次元画像形成装置が配置されている第１のレンズ、
（Ｄ）第１のレンズの後側焦点面に、その前側焦点面が位置している第２のレンズ、並びに、
（Ｅ）第２のレンズの後側焦点面に、その前側焦点面が位置している第３のレンズ、
を備えていることを特徴とする３次元像表示装置。
【請求項１５】
光源は、２次元マトリクス状に配列された複数の発光素子を具備していることを特徴とする請求項１４に記載の３次元像表示装置。
【請求項１６】
光源と２次元画像形成装置との間にはレンズが配置されており、
光源は、該レンズの前側焦点面に位置することを特徴とする請求項１４に記載の３次元像表示装置。
【請求項１７】
光源は、発光素子、及び、該発光素子から出射された光であって、２次元画像形成装置に入射する光の入射方向を変更するための光線進行方向変更手段を備えていることを特徴とする請求項１４に記載の３次元像表示装置。
【請求項１８】
（Ｆ）光出射位置の数に対応した数の開閉制御可能な開口部を有し、第１のレンズの後側焦点面に位置する空間フィルタ、
を更に備えていることを特徴とする請求項１４に記載の３次元像表示装置。
【請求項１９】
空間フィルタにおいては、２次元画像形成装置による２次元画像の生成タイミングと同期して所望の開口部を開状態とすることを特徴とする請求項１８に記載の３次元像表示装置。
【請求項２０】
（Ｆ）光出射位置の数に対応した数の開口部を有し、第１のレンズの後側焦点面に位置する散乱回折制限部材、
を更に備えていることを特徴とする請求項１４に記載の３次元像表示装置。
【請求項２１】
光源の異なる光出射位置から順次出射された光の光強度を測定するための光検出手段を備えていることを特徴とする請求項１４に記載の３次元像表示装置。
【請求項２２】
光検出手段における光強度の測定結果に基づき、光源の発光状態を制御することを特徴とする請求項２１に記載の３次元像表示装置。
【請求項２３】
光検出手段における光強度の測定結果に基づき、２次元画像形成装置の作動状態を制御することを特徴とする請求項２１に記載の３次元像表示装置。
【発明の詳細な説明】
【技術分野】
【０００１】
本発明は、立体画像を表示することができる３次元像表示装置に関する。
【背景技術】
【０００２】
観察者の両目が、それぞれ、視差画像と呼ばれる異なる画像を観察することによって立体画像を得る２眼式立体画像技術や、視差画像を複数組用意することによって異なる視点からの立体画像を複数得る多眼式立体画像技術が知られており、これらに関連する技術が多く開発されている。しかしながら、２眼式立体画像技術や多眼式立体画像技術にあっては、立体画像は、立体画像として意図した空間に位置するのではなく、例えば２次元のディスプレイ面上に存在し、常に、一定の位置に位置する。従って、特に視覚系生理反応である輻輳と調節とが連動せず、これに伴う眼精疲労が問題となっている。
【０００３】
一方、実世界において、物体表面の情報は、光波を媒体として観察者の眼球まで伝搬する。そして、実世界において物理的に存在する物体表面からの光波を人工的に再現する技術として、ホログラフィ技術が知られている。ホログラフィ技術を用いた立体画像は、光の干渉に基づき生成された干渉縞を用い、この干渉縞を光で照明した際に生じる回折波面そのものを画像情報媒体として用いる。従って、観察者が実世界において物体を観察しているときと同様の輻輳、調節などの視覚系生理反応が生じ、眼精疲労の少ない画像を得ることができる。更には、物体からの光波面が再現されているということは、画像情報を伝達する方向に対して連続性が確保されていることを意味する。従って、観察者の視点が移動しても、その移動に応じた異なる角度からの適切な画像を連続的に提示することが可能であり、運動視差が連続的に提供されることとなる。
【０００４】
しかしながら、ホログラフィ技術においては、物体の３次元空間情報を２次元空間における干渉縞として記録しており、その情報量は、同じ物体を撮影した写真等の２次元空間の情報量と比較すると極めて膨大な量となる。これは、３次元空間情報を２次元空間情報に変換する際に、その情報が２次元空間上における密度に変換されていると考えることができるからである。そのために、ＣＧＨ（Computer Generated Hologram）による干渉縞を表示する表示装置に求められる空間分解能は極めて高く、また、膨大な情報量が必要であり、実時間ホログラムに基づき立体画像を実現することは、現状において、技術的に困難である。
【０００５】
ホログラフィ技術においては、連続的な情報とみなすことのできる光波を情報媒体として用い、物体からの情報を伝達する。一方、光波を離散化し、理論的にはほぼ実世界における光波から成る場と等価である状況を光線によって再現することで立体画像を生成する技術として、光線再生法（インテグラルフォトグラフィ法とも呼ばれる）が知られている。光線再生法にあっては、予め、多くの方向へ伝搬する多数の光線から構成された光線群を、光学的手段によって空間に散布する。次に、任意の位置に位置する仮想的な物体の表面から伝搬される光線をこの光線群から選択し、選択された光線の強度や位相の変調を行うことによって、光線から成る像を空間に生成する。観察者は、この像を立体画像として観察することができる。光線再生法による立体画像は、任意の点において、複数の方向からの像が多重結像されたものであり、実世界における３次元物体を見たときと同様に、任意の点について、見る位置によって見え方が異なる。
【０００６】
以上で述べた光線再生法を実現するための装置として、液晶表示装置やプラズマ表示装置等の平面型表示装置とマイクロレンズアレイやピンホールアレイとを組み合わせた装置が提案されている（例えば、以下の特許文献１〜特許文献７を参照のこと）。また、プロジェクタ・ユニットを多数並べた装置も考えられる。図２６に、プロジェクタ・ユニットを用いて光線再生法を実現する３次元像表示装置の一構成例を示す。この装置は、多数のプロジェクタ・ユニット１０１を水平方向及び垂直方向に並列的に配置し、各プロジェクタ・ユニット１０１から角度の異なる光線を出射するようにしたものである。これにより、ある断面１０２内の任意の点において多視角の像を多重再生し、立体画像を実現している。
【０００７】
【特許文献１】特開２００３−１７３１２８号公報
【特許文献２】特開２００３−１６１９１２号公報
【特許文献３】特開２００３−２９５１１４号公報
【特許文献４】特開２００３−７５７７１号公報
【特許文献５】特開２００２−７２１３５号公報
【特許文献６】特開２００１−５６４５０号公報
【特許文献７】特許第３５２３６０５号公報
【発明の開示】
【発明が解決しようとする課題】
【０００８】
上述の光線再生法によれば、２眼式立体画像技術や多眼式立体画像では不可能であった視覚機能としての焦点調節及び両眼輻輳角調節に対して有効に働く程度の光線によって画像を生成するので、眼精疲労が極めて少ない立体画像を提供することができる。それだけでなく、仮想物体上の同一要素から複数の方向へ連続的に光線が出射されていることから、視点位置の移動に伴う画像の変化を連続的に提供することができる。
【０００９】
しかしながら、現状の光線再生法によって生成された画像は、実世界における物体と比較すると臨場感に欠ける。これは、現状の光線再生法による立体画像が、実世界の物体から観察者が得る情報量に対して非常に少量の情報、即ち、少量の光線によって生成されていることに起因していると考えられる。一般に、人間の視認限界は角度分解能で１分程度と云われており、現状の光線再生法による立体画像は、この人間の視覚に対して不十分な光線によって生成されている。従って、実世界の物体が有する高い臨場感やリアリティを有する立体画像を生成するためには、少なくとも多量の光線によって画像を生成することが課題である。
【００１０】
そして、その実現のためには、空間的に高い密度で光線群を生成することのできる技術が必要とされ、液晶表示装置等の表示装置の表示密度を高くすることが考えられる。あるいは又、図２６に示した多数のプロジェクタ・ユニット１０１を配置する装置の場合、各プロジェクタ・ユニット１０１を出来るだけ小型化し、空間的に高い密度で並べることが考えられる。しかしながら、現在の表示装置における表示密度の飛躍的な向上は、光利用効率や回折限界の問題から困難である。また、図２６に示した装置の場合、各プロジェクタ・ユニット１０１を小型化するのには限界があるため、空間的に高い密度で並べることは困難であると考えられる。いずれの場合にあっても、高密度の光線群を生成するためには、複数のデバイスが必要となり、装置全体の大型化は避けられない。
【００１１】
また、例えば、光源が発光素子から構成されている場合、発光素子に輝度のバラツキが発生すると、生成される画像に輝度ムラが生じてしまうし、場合によっては、画像の色味に変化が生じ、画像の品質劣化の原因となる。発光素子の輝度のバラツキは、３次元像表示装置への光源の取り付け時（３次元像表示装置の組立時）だけでなく、経年変化や動作環境の変化によっても発生する。
【００１２】
従って、本発明の目的は、３次元像表示装置全体を大型化することなく、立体画像の表示に必要な光線群を空間的に高い密度で生成・散布することができ、実世界の物体と同質に近い光線による立体画像を得ることを可能とする３次元像表示装置を提供することにある。また、本発明の更なる目的は、光源から出射される光の光強度に変化が生じた場合であっても、表示される画像の質の低下を招くことの無い３次元像表示装置を提供することにある。
【課題を解決するための手段】
【００１３】
上記の目的を達成するための本発明の第１の態様に係る３次元像表示装置は、
（Ａ）離散して配された複数の光出射位置から光を出射する光源、
（Ｂ）複数の画素を有し、光源の異なる光出射位置から順次出射され、入射方向が異なる光を各画素によって変調して２次元画像を生成し、且つ、生成した２次元画像における空間周波数を、各画素から生じる複数の回折次数に対応した回折角に沿って出射する光変調手段、並びに、
（Ｃ）光変調手段から出射された２次元画像における空間周波数をフーリエ変換して、前記複数の回折次数に対応する数のフーリエ変換像を生成し、該フーリエ変換像を結像させるフーリエ変換像形成手段、
を備えていることを特徴とする。
【００１４】
本発明の第１の態様に係る３次元像表示装置にあっては、
（Ｄ）フーリエ変換像形成手段によって結像されたフーリエ変換像の共役像を形成する共役像形成手段、
を更に備えていることが好ましい。
【００１５】
上記の目的を達成するための本発明の第２の態様に係る３次元像表示装置は、
（Ａ）離散して配された複数の光出射位置から光を出射する光源、
（Ｂ）Ｘ方向及びＹ方向に沿って２次元マトリクス状に配列された開口を有し、光源の異なる光出射位置から順次出射され、入射方向が異なる光の通過あるいは反射を開口毎に制御することで２次元画像を生成し、且つ、該２次元画像に基づき、開口毎に、複数の回折次数の回折光を生成する２次元画像形成装置、
（Ｃ）その前側焦点面に２次元画像形成装置が配置されている第１のレンズ、
（Ｄ）第１のレンズの後側焦点面に、その前側焦点面が位置している第２のレンズ、並びに、
（Ｅ）第２のレンズの後側焦点面に、その前側焦点面が位置している第３のレンズ、
を備えていることを特徴とする。
【００１６】
上記の好ましい形態を含む本発明の第１の態様、あるいは、第２の態様に係る３次元像表示装置（以下、これらを総称して、単に、本発明の３次元像表示装置と呼ぶ場合がある）において、離散して配された光出射位置の数をＬＥＰTotalとしたとき、各光出射位置から出射され、光変調手段あるいは２次元画像形成装置への入射方向が異なる光（以下、照明光と呼ぶ場合がある）によって形成されるフーリエ変換像の数は、（複数の回折次数）×ＬＥＰTotal個となる。また、照明光に基づき得られたフーリエ変換像は、各光出射位置に対応して、離散した位置に、フーリエ変換像形成手段あるいは第１のレンズによってスポット状に結像される。尚、後述するフーリエ変換像選択手段あるいは空間フィルタを配置すれば、照明光によって形成されるフーリエ変換像の数は、最終的に、例えば、ＬＥＰTotal個となる。尚、離散して配された複数の光出射位置が、２次元マトリクス状に離散（離間）されて配されている場合、係る光出射位置の数を「Ｕ0×Ｖ0」と表現する。ここで、Ｕ0×Ｖ0＝ＬＥＰTotalである。
【００１７】
本発明の３次元像表示装置において、光源は、２次元マトリクス状に配列された複数の発光素子を具備している構成とすることができる。尚、この場合、２次元マトリクス状に配列された複数の発光素子の個数をＵ0’×Ｖ0’個とすると、光源の仕様に依り、Ｕ0’＝Ｕ0，Ｖ0’＝Ｖ0の場合もあるし、例えば、Ｕ0’／３＝Ｕ0，Ｖ0’／３＝Ｖ0の場合もある。そして、この場合、光源と光変調手段あるいは２次元画像形成装置との間にはレンズ（例えば、コリメータレンズ）が配置されており、光源は、このレンズの前側焦点面（あるいは前側焦点面近傍）に位置することが、レンズから出射された光（照明光）が平行光（概ね平行光）となるので好ましい。あるいは又、本発明の３次元像表示装置において、光源は、発光素子、及び、該発光素子から出射された光であって、光変調手段あるいは２次元画像形成装置に入射する光の入射方向を変更するための光線進行方向変更手段を備えている構成とすることができる。そして、この場合、光線進行方向変更手段として、入射する光線に対して出射する光線の角度を変更する（変化させる）ことができる屈折型光学手段（例えば、レンズ、より具体的には、例えば、コリメータレンズやマイクロレンズアレイ）、あるいは又、入射する光線に対して出射する光線の位置及び角度を変更する（変化させる）ことができる反射型光学手段（具体的には、例えば、鏡、より具体的には、例えば、ポリゴン・ミラーや、ポリゴン・ミラーと鏡の組合せ、曲面から構成された凸面鏡、曲面から構成された凹面鏡、多面体から構成された凸面鏡、多面体から構成された凹面鏡）を挙げることができる。
【００１８】
上述したとおり、光源が２次元マトリクス状に配列された複数の発光素子を具備している構成とする場合、各発光素子から出射される光の出射方向が異なり、光変調手段あるいは２次元画像形成装置への入射方向が異なるように各発光素子を配置することが望ましい。また、上述したとおり、光線進行方向変更手段として屈折型光学手段を採用する場合、２次元マトリクス状に配列された複数の発光素子を具備している構成とすることが好ましく、この場合には、各発光素子から順次出射され、屈折型光学手段に入射し、屈折型光学手段から出射するときの光の出射方向を屈折型光学手段によって変えることができる結果、光変調手段あるいは２次元画像形成装置に入射する光の入射方向を変えることができる。尚、この場合、各発光素子から出射される光の出射方向は、同じであってもよいし、異なっていてもよい。一方、上述したとおり、光線進行方向変更手段として反射型光学手段を採用する場合、発光素子の数は、１つであってもよいし、例えば、Ｕ0個であってもよい。そして、反射型光学手段から出射するときの光出射位置の数を、反射型光学手段の位置等の制御を行うことで、Ｕ0×Ｖ0＝ＬＥＰTotalとすればよい。具体的には、例えば、ポリゴン・ミラーをその回転軸を中心として回転させながら、回転軸の傾斜角を制御すればよいし、あるいは又、発光素子から鏡に入射する光の位置を制御すればよいし、あるいは又、鏡から出射される照明光の位置を制御すればよいし、あるいは又、鏡から出射される照明光の状態（例えば、照明光の通過、遮断）を制御すればよい。そして、これによって、光変調手段あるいは２次元画像形成装置に入射する光の入射方向を変えることができる。
【００１９】
更には、上記の好ましい構成、形態を含む本発明の第１の態様に係る３次元像表示装置において、フーリエ変換像形成手段はレンズ［第１のレンズ］から成り、このレンズ［第１のレンズ］の前側焦点面に光変調手段が配置されている構成とすることができる。
【００２０】
本発明の第１の態様に係る３次元像表示装置において、フーリエ変換像形成手段によって生成され、結像される像は、複数の回折次数に対応しているが、低次の回折次数に基づき得られる像は明るく、高次の回折次数に基づき得られる像は暗いので、十分な画質の立体画像を得ることができる。但し、より一層の画質の向上のためには、
（Ｅ）前記複数の回折次数に対応する数だけ生成されたフーリエ変換像の内、所望の回折次数に対応するフーリエ変換像を選択するフーリエ変換像選択手段、
を更に備えており、このフーリエ変換像選択手段は、フーリエ変換像が結像される位置に配置されている構成とすることが好ましい。
【００２１】
あるいは又、本発明の第２の態様に係る３次元像表示装置においても、第１のレンズによって生成され、結像される像は、複数の回折次数に対応しているが、低次の回折次数に基づき得られる像は明るく、高次の回折次数に基づき得られる像は暗いので、十分な画質の立体画像を得ることができる。但し、より一層の画質の向上のためには、
（Ｆ）光出射位置の数に対応した数の開閉制御可能な開口部を有し、第１のレンズの後側焦点面に位置する空間フィルタ、
を更に備えている構成とすることが好ましい。そして、この場合、空間フィルタにおいては、２次元画像形成装置による２次元画像の生成タイミングと同期して所望の開口部を開状態とすることが望ましい。あるいは又、
（Ｆ）光出射位置の数に対応した数の開口部を有し、第１のレンズの後側焦点面に位置する散乱回折制限部材、
を更に備えている構成とすることが好ましい。空間フィルタあるいは散乱回折制限部材を配設することで、生成した複数の回折次数の回折光の内、所望の回折光のみを通過させることができる。
【００２２】
そして、これらの場合、フーリエ変換像選択手段［あるいは空間フィルタ］は、光出射位置の数（ＬＥＰTotalであり、例えば、Ｕ0×Ｖ0）に対応した数（ＬＥＰTotalであり、例えば、Ｕ0×Ｖ0）の開口部を有することが望ましい。開口部は、開閉制御可能であってもよいし、常に開状態であってもよい。開閉制御可能な開口部を有するフーリエ変換像選択手段［あるいは空間フィルタ］として、液晶表示装置（より具体的には、透過型若しくは反射型の液晶表示装置）を挙げることができるし、可動ミラーが２次元マトリクス状に配列された２次元型のＭＥＭＳを挙げることもできる。また、開閉制御可能な開口部を有するフーリエ変換像選択手段［あるいは空間フィルタ］においては、光変調手段［あるいは２次元画像形成装置］による２次元画像の生成タイミングと同期して所望の開口部を開状態とすることによって、所望の回折次数に対応するフーリエ変換像［あるいは回折光］を選択する構成とすることができる。開口部の位置は、フーリエ変換像選択手段［あるいは第１のレンズ］によって得られるフーリエ変換像［あるいは回折光］の内の所望のフーリエ変換像［あるいは回折光］が結像する位置とすればよく、係る開口部の位置は、離散して配された光出射位置に対応している。
【００２３】
以上に説明した好ましい形態、構成を含む本発明の第１の態様に係る３次元像表示装置は、フーリエ変換像形成手段によって結像されたフーリエ変換像を逆フーリエ変換することにより、光変調手段によって生成された２次元画像の実像を形成する逆フーリエ変換手段を更に備えていることが好ましい。
【００２４】
また、以上に説明した好ましい形態、構成を含む本発明の第１の態様に係る３次元像表示装置において、光変調手段は２次元的に配列された複数（Ｐ×Ｑ個）の画素を有する２次元空間光変調器から成り、各画素は開口を備えている形態とすることができ、この場合、２次元空間光変調器を、液晶表示装置（より具体的には、透過型若しくは反射型の液晶表示装置）、あるいは、２次元空間光変調器の各開口内には可動ミラーが設けられている構成（可動ミラーが２次元マトリクス状に配列された２次元型のＭＥＭＳから成る構成）とすることが好ましい。また、以上に説明した好ましい構成、形態を含む本発明の第２の態様に係る３次元像表示装置において、２次元画像形成装置は、２次元的に配列された複数（Ｐ×Ｑ個）の画素を有する液晶表示装置（より具体的には、透過型若しくは反射型の液晶表示装置）から成り、各画素には開口が備えられている形態とすることができ、あるいは又、２次元画像形成装置には、複数（Ｐ×Ｑ個）の開口が設けられており、各開口には可動ミラーが設けられている（可動ミラーが２次元マトリクス状に配列された開口のそれぞれに配置された２次元型のＭＥＭＳから成る）形態とすることができる。ここで、開口の平面形状は矩形とすることが望ましい。開口の平面形状を矩形とするとき、フラウンホーファー回折が生じ、Ｍ×Ｎ組の回折光が生成される。即ち、係る開口によって、入射光波の振幅（強度）を周期的に変調し、格子の光透過率分布に一致した光量分布が得られる振幅格子が形成される。
【００２５】
更には、上記の好ましい構成、形態を含む本発明の第１の態様に係る３次元像表示装置において、前記２次元画像における空間周波数は、画素構造の空間周波数をキャリア周波数とした画像情報に相当する構成とすることができ、更には、後述する２次元画像の共役像における空間周波数は、２次元画像における空間周波数から画素構造の空間周波数が除去された空間周波数である構成とすることができる。即ち、平面波成分の０次回折をキャリア周波数とする１次回折として得られるものであって、光変調手段の画素構造（開口構造）の空間周波数の半分以下の空間周波数が、フーリエ変換像選択手段あるいは空間フィルタにおいて選択され、あるいは又、フーリエ変換像選択手段あるいは空間フィルタを通過する。光変調手段あるいは２次元画像形成装置に表示された空間周波数は全て伝達される。
【００２６】
以上に説明した好ましい構成、形態を含む本発明の３次元像表示装置には、光源の異なる光出射位置から順次出射された光の光強度を測定するための光検出手段が備えられていることが好ましい。そして、光検出手段における光強度の測定結果に基づき、光源の発光状態を制御することができ、あるいは又、光変調手段若しくは２次元画像形成装置の作動状態を制御することができる。
【００２７】
光検出手段として、ホトダイオード、ＣＣＤ、ＣＭＯＳセンサーを挙げることができる。光源と光変調手段あるいは２次元画像形成装置との間にビームスプリッタや部分反射ミラー［パーシャルリフレクター］を配置し、光源から光変調手段あるいは２次元画像形成装置へと入射する光の一部を取り出して光検出手段に入射させる方式としてもよいし、フーリエ変換像形成手段や２次元画像形成装置の後方に部分反射ミラーを配置し、フーリエ変換像形成手段や２次元画像形成装置から出射した光の一部を取り出して光検出手段に入射させる方式としてもよいし、光変調手段あるいは２次元画像形成装置に光検出手段を取り付ける方式としてもよいし、光源に光検出手段を組み込む方式（具体的には、例えば、光源を構成する各発光素子の近傍に光検出手段を配置し、あるいは又、発光素子に光検出手段を組み込む方式）としてもよいし、光源から光変調手段あるいは２次元画像形成装置、フーリエ変換像形成手段、又は、その後方へと入射する有効領域を通る光を遮らない位置に光検出手段を配置してもよい。
【００２８】
以上に説明した好ましい構成、形態を含む本発明の３次元像表示装置において、Ｕ0，Ｖ0の数として、限定するものではないが、４≦Ｕ0≦１２、好ましくは、例えば、９≦Ｕ0≦１１を挙げることができ、また、４≦Ｖ0≦１２、好ましくは、例えば、９≦Ｖ0≦１１を挙げることができる。Ｕ0の値とＶ0の値は、等しくてもよいし、異なっていてもよい。尚、フーリエ変換像形成手段によってフーリエ変換像が結像される平面（ＸＹ平面）を、以下、結像面と呼ぶ場合がある。
【００２９】
本発明の３次元像表示装置における好ましい形態にあっては、所望の回折次数に対応するフーリエ変換像が、フーリエ変換像選択手段あるいは空間フィルタにおいて選択され、あるいは又、フーリエ変換像選択手段あるいは空間フィルタを通過するが、ここで、所望の回折次数として、限定するものではないが、０次の回折次数を挙げることができる。
【００３０】
以上に説明した種々の好ましい構成、形態を含む本発明の３次元像表示装置における光源として、レーザ、発光ダイオード（ＬＥＤ）や白色光源を挙げることができる。光源と光変調手段あるいは２次元画像形成装置との間に、照明光を整形するための照明光学系を配置してもよい。３次元像表示装置の仕様に依り、光源から単色光（例えば、赤色発光ダイオード、緑色発光ダイオード、又は、青色発光ダイオードのいずれかの発光ダイオードからの光）あるいは白色光（例えば、白色発光ダイオードからの光）が出射される場合があり、あるいは又、光源は、赤色発光素子、緑色発光素子、及び、青色発光素子を備え、これらの発光素子を順次駆動することで、光源から光（赤色光、緑色光、及び、青色光）を出射してもよく、これによっても、離散して配された複数の光出射位置から出射され、光変調手段あるいは２次元画像形成装置への入射方向が異なる照明光を得ることができる。
【００３１】
２次元空間光変調器あるいは２次元画像形成装置を構成する液晶表示装置においては、例えば、次に述べる透明第１電極と透明第２電極の重複領域であって液晶セルを含む領域が、１画素（１ピクセル）に相当する。そして、液晶セルを一種の光シャッター（ライト・バルブ）として動作させることによって、即ち、各画素の光透過率（開口率）を制御することによって、光源から出射された照明光の光透過率を制御し、全体として、２次元画像を得ることができる。透明第１電極と透明第２電極の重複領域には、矩形の開口が設けられており、光源から出射された照明光が係る開口を通過することによって、画素毎に、フラウンホーファー回折が生じ、Ｍ×Ｎ組の回折光が生成される。
【００３２】
液晶表示装置は、例えば、透明第１電極を備えたフロント・パネル、透明第２電極を備えたリア・パネル、及び、フロント・パネルとリア・パネルとの間に配された液晶材料から成る。フロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルムとから構成されている。更には、透明第１電極上には配向膜が形成されている。一方、リア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルムとから構成されている。透明第２電極を含む全面には配向膜が形成されている。これらの透過型の液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。あるいは又、複数の走査電極が第１の方向に延び、複数のデータ電極が第２の方向に延びる、所謂マトリックス電極構成を有する液晶表示装置とすることもできる。透過型の液晶表示装置にあっては、光源からの照明光は、第２の基板から入射し、第１の基板から出射される。一方、反射型の液晶表示装置にあっては、光源からの照明光は、第１の基板から入射し、例えば、第２の基板の内面に形成された第２電極（画素電極）によって反射され、再び、第１の基板から出射される。開口は、例えば、透明第２電極と配向膜との間に、光源からの照明光に不透明な絶縁材料層を形成し、係る絶縁材料層に開口を形成することで得ることができる。尚、反射型の液晶表示装置として、その他、ＬＣｏＳ（Liquid Crystal on Silicon）タイプを用いることもできる。
【００３３】
本発明の３次元像表示装置にあっては、共役像形成手段によって形成された共役像を投射する光学的手段を備えていてもよいし、あるいは第３のレンズの後方に、第３のレンズによって形成された像を投射する光学的手段を備えていてもよい。
【００３４】
本発明の３次元像表示装置において、２次元画像の画素（ピクセル）の数Ｐ×Ｑを（Ｐ，Ｑ）で表記したとき、（Ｐ，Ｑ）の値として、具体的には、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（１９２０，１０３５）、（７２０，４８０）、（１２８０，９６０）等、画像表示用解像度の幾つかを例示することができるが、これらの値に限定するものではない。
【発明の効果】
【００３５】
本発明の第１の態様あるいは第２の態様に係る３次元像表示装置においては、光源の異なる光出射位置から順次出射され、入射方向が異なる光（照明光）に基づき、光変調手段［２次元画像形成装置］によって、２次元画像が生成され、且つ、生成された２次元画像における空間周波数が各画素等から生じる複数の回折次数に対応した回折角に沿って出射され、フーリエ変換像形成手段［第１のレンズ］によって空間周波数がフーリエ変換されて複数の回折次数に対応する数のフーリエ変換像［回折光］が生成され、結像され、最終的に観察者に到達する。この観察者に到達する画像には、光変調手段［２次元画像形成装置］への光（照明光）の入射方向の成分が含まれている。そして、このような操作が、順次、時系列的に繰り返されることで、フーリエ変換像形成手段［第１のレンズ］から出射された光線群（例えば、ＬＥＰTotal本の光線）を、空間的に高い密度で、しかも、複数の方向に分布した状態で、生成・散布することができる結果、係る光線群により、従来には無い、立体画像を構成するための光線の方向成分を効率的に制御した光線再生法に基づき、３次元像表示装置全体を大型化することなく、実世界の物体に近い質感の立体画像を得ることができる。
【００３６】
しかも、本発明の３次元像表示装置において、例えば、０次の回折光に基づき立体画像を構成すれば、明るく、クリアーで、高品質の立体画像を得ることができる。
【００３７】
また、光検出手段を備えることによって光源の発光状態を監視することができ、光源の発光状態のバラツキや経時変化に起因した画像の品質劣化の発生を抑制することが可能となる。
【発明を実施するための最良の形態】
【００３８】
以下、図面を参照して、実施例に基づき本発明を説明する。
【実施例１】
【００３９】
実施例１は、本発明の第１の態様及び第２の態様に係る３次元像表示装置に関する。図１に、単色表示の実施例１の３次元像表示装置の概念図を示す。尚、図１において、光軸をｚ軸とし、ｚ軸に直交する平面内での直交座標をｘ軸、ｙ軸とし、ｘ軸と平行な方向をＸ方向、ｙ軸と平行な方向をＹ方向とする。Ｘ方向を、例えば３次元像表示装置における水平方向とし、Ｙ方向を、例えば３次元像表示装置における垂直方向とする。ここで、図１は、ｙｚ平面における実施例１の３次元像表示装置の概念図である。ｘｚ平面における実施例１の３次元像表示装置の概念図も、実質的には図１と同様である。また、図２は、実施例１の３次元像表示装置を斜めから見たときの概念図であり、図３は、実施例１の３次元像表示装置の構成要素の配置状態を模式的に示す図である。尚、図２においては、３次元像表示装置の構成要素の大部分を省略し、光線の図示も簡素化してあり、図１や図３とは異なっている。更には、図２においては、２次元画像形成装置から出射された光線の一部分のみを図示している。また、光変調手段［２次元画像形成装置］、フーリエ変換像形成手段［第１のレンズ］、フーリエ変換像選択手段［空間フィルタ］の近傍を拡大した概念図を、図４、及び、図５の（Ａ）、（Ｂ）に示す。更には、光源の模式的な正面図を図６に示し、空間フィルタの模式的な正面図を図７に示す。
【００４０】
従来の光線再生法による立体画像の表示では、任意の位置に存在する仮想物体表面を仮想的な原点とした複数の光線を出射することを目的として、予め、様々な角度で出射する光線を提供できる装置を備えておく必要がある。即ち、例えば、図２６に示した装置にあっては、多数（例えば、Ｕ0×Ｖ0個）のプロジェクタ・ユニット１０１を水平方向及び垂直方向に並列的に配置しなければならない。
【００４１】
一方、実施例１の３次元像表示装置１にあっては、図１等に示した構成要素を備える３次元像表示装置単体で、従来の技術と比較して、空間的に密度が高く、且つ、大量の光線群を生成・形成することが可能である。実施例１の３次元像表示装置１は、１つの３次元像表示装置で、図２６に示した多数（Ｕ0×Ｖ0個）のプロジェクタ・ユニット１０１を水平方向及び垂直方向に並列的に配置した装置と等価の機能を有する。尚、例えばマルチユニット方式を採用する場合には、図２５に概念図を示すように、分割された３次元画像の数（例えば、４×４＝１６）だけ、実施例１の３次元像表示装置１を備えればよい。
【００４２】
本発明の第１の態様に係る３次元像表示装置の構成要素に沿って説明すると、実施例１の３次元像表示装置１は、
（Ａ）離散（離間）して配された複数の光出射位置から光を出射する光源１０、
（Ｂ）複数の画素（個数：Ｐ×Ｑ）３１を有し、光源１０の異なる光出射位置から順次出射され、入射方向が異なる光（照明光）を各画素３１によって変調して２次元画像を生成し、且つ、生成した２次元画像における空間周波数を、各画素３１から生じる複数の回折次数（総計Ｍ×Ｎ）に対応した回折角に沿って出射する光変調手段３０、並びに、
（Ｃ）光変調手段３０から出射された２次元画像における空間周波数をフーリエ変換して、前記複数の回折次数（総計Ｍ×Ｎ）に対応する数のフーリエ変換像を生成し、該フーリエ変換像を結像させるフーリエ変換像形成手段４０、
を備えており、更には、
（Ｄ）フーリエ変換像形成手段４０によって結像されたフーリエ変換像の共役像を形成する共役像形成手段６０、
を備えている。
【００４３】
あるいは又、本発明の第２の態様に係る３次元像表示装置の構成要素に沿って説明すると、実施例１の３次元像表示装置１は、
（Ａ）離散（離間）して配された複数の光出射位置から光を出射する光源１０、
（Ｂ）Ｘ方向及びＹ方向に沿って２次元マトリクス状に配列された開口（個数：Ｐ×Ｑ）を有し、光源１０の異なる光出射位置から順次出射され、入射方向が異なる光（照明光）の通過を開口毎に制御することで２次元画像を生成し、且つ、この２次元画像に基づき、開口毎に、複数の回折次数（総計Ｍ×Ｎ）の回折光を生成する２次元画像形成装置３０、
（Ｃ）その前側焦点面（光源側の焦点面）に２次元画像形成装置３０が配置されている第１のレンズＬ1、
（Ｄ）第１のレンズＬ1の後側焦点面（観察者側の焦点面）に、その前側焦点面（光源側の焦点面）が位置している第２のレンズＬ2、並びに、
（Ｅ）第２のレンズＬ2の後側焦点面に、その前側焦点面が位置している第３のレンズＬ3、
を備えている。
【００４４】
ここで、２次元画像における空間周波数は、画素構造の空間周波数をキャリア周波数とした画像情報に相当する。
【００４５】
実施例１の３次元像表示装置１において、光源１０は、発光素子１１、及び、発光素子１１から出射された光であって、光変調手段あるいは２次元画像形成装置３０に入射する光の入射方向を変更するための光線進行方向変更手段を備えている。ここで、複数の発光素子１１（具体的には、発光ダイオード，ＬＥＤ）が備えられ、複数の発光素子１１は、２次元マトリクス状に配列されている。尚、２次元マトリクス状に配列された複数の発光素子１１の個数はＵ0’×Ｖ0’個であり、光源１０における離散して配された光出射位置の数はＵ0×Ｖ0（但し、Ｕ0＝Ｕ0’，Ｖ0＝Ｖ0’）である。実施例１にあっては、Ｐ＝１０２４、Ｑ＝７６８であり、Ｕ0＝１１、Ｖ0＝１１である。但し、これらの値に限定するものではない。また、光線進行方向変更手段は、屈折型光学手段、具体的には、レンズ、より具体的には、コリメータレンズ１２から構成されている。ここで、コリメータレンズ１２の前側焦点面近傍に複数の発光素子１１が配置されており、各発光素子１１から出射され、コリメータレンズ１２に入射し、コリメータレンズ１２から出射するときの光（平行光）の出射方向を、コリメータレンズ１２によって立体的に変えることができる結果、光変調手段あるいは２次元画像形成装置３０に入射する光（照明光）の入射方向を立体的に変えることができる（図４参照）。尚、各発光素子１１から出射される光の出射方向を、実施例１にあっては同じとしたが（具体的には、光軸に平行としたが）、異なっていてもよい。あるいは又、云い換えれば、光源である複数の発光素子１１と光変調手段あるいは２次元画像形成装置３０との間にはレンズ（具体的には、コリメータレンズ１２）が配置されており、複数の発光素子１１は、このコリメータレンズ１２の前側焦点面あるいは前側焦点面近傍に位置している。
【００４６】
ｚ軸（光軸に相当する）は、実施例１の３次元像表示装置１を構成する各構成要素の中心を通り、しかも、３次元像表示装置１を構成する各構成要素と直交する。本発明の第１の態様に係る３次元像表示装置の構成要素と本発明の第２の態様に係る３次元像表示装置の構成要素とを対比すると、光変調手段３０は２次元画像形成装置３０に対応し、フーリエ変換像形成手段４０は第１のレンズＬ1に対応し、後述するフーリエ変換像選択手段５０は空間フィルタＳＦに対応し、逆フーリエ変換手段は第２のレンズＬ2に対応し、共役像形成手段６０は第２のレンズＬ2及び第３のレンズＬ3に対応している。それ故、便宜上、２次元画像形成装置３０、第１のレンズＬ1、空間フィルタＳＦ、第２のレンズＬ2、及び、第３のレンズＬ3という用語に基づき、以下、説明を行う。
【００４７】
光源１０を構成する発光素子１１Ａ，１１Ｂ，１１Ｃから出射された光束が、２次元画像形成装置３０、第１のレンズＬ1、及び、空間フィルタＳＦを通過する状態を、模式的に、図４に示す。図４においては、光源１０を構成する発光素子１１Ａから出射された光束を実線で示し、発光素子１１Ｂから出射された光束を一点鎖線で示し、発光素子１１Ｃから出射された光束を点線で示す。また、発光素子１１Ａ，１１Ｂ，１１Ｃから出射された照明光によって形成された空間フィルタＳＦにおける像の位置を、それぞれ、符号（１１Ａ），（１１Ｂ），（１１Ｃ）で示す。尚、光源１０を構成する発光素子１１Ａ，１１Ｂ，１１Ｃのそれぞれの位置番号（これについては後述する）は、例えば、第（５，０）番目、第（０，０）番目、及び、第（−５，０）番目である。ここで、或る発光素子が発光状態にあるときには、他の全ての発光素子は消灯状態となる。
【００４８】
発光素子１１と２次元画像形成装置３０との間には、上述したとおり、コリメータレンズ１２が配置されている。そして、発光素子１１から出射され、コリメータレンズ１２を通過した照明光によって、２次元画像形成装置３０が照明されるが、上述したとおり、照明光の２次元画像形成装置３０への入射方向は、発光素子１１の２次元的な位置（光出射位置）に依存して立体的に異なっている。
【００４９】
光変調手段３０は２次元的に配列された複数の画素３１を有する２次元空間光変調器から成り、各画素３１は開口を備えている。ここで、２次元空間光変調器あるいは２次元画像形成装置３０は、具体的には、２次元的に配列された、即ち、Ｘ方向及びＹ方向に沿って２次元マトリクス状に配列された、Ｐ×Ｑ個の画素３１を有する透過型の液晶表示装置から成り、各画素３１には開口が備えられている。尚、開口の平面形状は矩形である。開口の平面形状を矩形とするとき、フラウンホーファー回折が生じ、Ｍ×Ｎ組の回折光が生成される。即ち、係る開口によって、入射光波の振幅（強度）を周期的に変調し、格子の光透過率分布に一致した光量分布が得られる振幅格子が形成される。
【００５０】
１つの画素３１は、透明第１電極と透明第２電極の重複領域であって液晶セルを含む領域から構成されている。そして、液晶セルを一種の光シャッター（ライト・バルブ）として動作させることによって、即ち、各画素３１の光透過率（開口率）を制御することによって、光源１０から出射された照明光の光透過率を制御し、全体として、２次元画像を得ることができる。透明第１電極と透明第２電極の重複領域には、矩形の開口が設けられており、係る開口を光源１０から出射された照明光が通過するとフラウンホーファー回折が生じる結果、各画素３１において、Ｍ×Ｎの回折光が生成される。云い換えれば、画素３１の数はＰ×Ｑであるが故に、総計（Ｐ×Ｑ×Ｍ×Ｎ）本の回折光が生じると考えることもできる。２次元画像形成装置３０においては、２次元画像における空間周波数が、各画素３１から生じる複数の回折次数（総計Ｍ×Ｎ）に対応した回折角に沿って２次元画像形成装置３０から出射される。尚、２次元画像における空間周波数によっても回折角は異なる。
【００５１】
実施例１の３次元像表示装置１にあっては、フーリエ変換像形成手段４０はレンズ［第１のレンズＬ1］から成り、このレンズ［第１のレンズＬ1］の前側焦点面（光源側の焦点面）に光変調手段３０が配置されている。
【００５２】
実施例１の３次元像表示装置１には、複数の回折次数に対応する数だけ生成されたフーリエ変換像の内、所望の回折次数に対応するフーリエ変換像を選択するフーリエ変換像選択手段５０が備えられている。ここで、このフーリエ変換像選択手段５０は、フーリエ変換像が結像される位置（フーリエ変換像形成手段４０によってフーリエ変換像が結像されるＸＹ平面、結像面）に配置されている。具体的には、フーリエ変換像選択手段５０は、フーリエ変換像形成手段４０を構成するレンズ［第１のレンズＬ1］の後側焦点面（観察者側の焦点面）に配置されている。あるいは又、云い換えれば、実施例１の３次元像表示装置１は、光源１０の光出射位置の数に対応した数の開閉制御可能な開口部５１を有し、第１のレンズＬ1の後側焦点面に位置する空間フィルタＳＦを備えている。即ち、フーリエ変換像選択手段５０［空間フィルタＳＦ］は、光源１０の離散して配された光出射位置の数（Ｕ0×Ｖ0＝ＬＥＰTotal）に対応した数（Ｕ0×Ｖ0＝ＬＥＰTotal）の開口部５１を有する。
【００５３】
ここで、フーリエ変換像選択手段５０［あるいは空間フィルタＳＦ］は、より具体的には、例えば、Ｕ0×Ｖ0個の画素を有する強誘電性液晶を用いた透過型の液晶表示装置又は反射型の液晶表示装置、あるいは、可動ミラーが２次元マトリクス状に配列された装置を含む２次元型のＭＥＭＳから構成することができる。ここで、例えば、液晶セルを一種の光シャッター（ライト・バルブ）として動作させることによって開口部５１の開閉制御を行うことができるし、可動ミラーの移動／非移動によって開口部５１の開閉制御を行うことができる。フーリエ変換像選択手段５０［空間フィルタＳＦ］においては、光変調手段３０による２次元画像の生成タイミングと同期して所望の開口部５１（具体的には、０次の回折光を通過させるための開口部５１）を開状態とすることによって、所望の回折次数（０次）に対応するフーリエ変換像を選択することができる。
【００５４】
更には、３次元像表示装置１は、フーリエ変換像形成手段４０によって結像されたフーリエ変換像を逆フーリエ変換することにより、光変調手段３０によって生成された２次元画像の実像ＲＩを形成する逆フーリエ変換手段（具体的には、第２のレンズＬ2）を更に備えている。
【００５５】
実施例１にあっては、第１のレンズＬ1、第２のレンズＬ2、第３のレンズＬ3は、具体的には、凸レンズから構成されている。
【００５６】
上述したとおり、焦点距離ｆ1を有する第１のレンズＬ1の前側焦点面（光源側の焦点面）には２次元画像形成装置３０が配置されており、第１のレンズＬ1の後側焦点面（観察者側の焦点面）には、フーリエ変換像を、空間的、且つ、時間的にフィルタリングするための時間的な開閉制御が可能な空間フィルタＳＦが配置されている。そして、第１のレンズＬ1によって、複数の回折次数に対応する数のフーリエ変換像が生成され、これらのフーリエ変換像は空間フィルタＳＦ上に結像する。尚、図２においては、便宜上、６４個のフーリエ変換像を点状にて図示した。そして、図２に示す多数のフーリエ変換像から１つのフーリエ変換像が、光出射位置に対応して開状態となった開口部５１を通過することで、選択される。
【００５７】
２次元マトリクス状に配列された複数の発光素子から成る光源１０の模式的な正面図を図６に示し、液晶表示装置から成る空間フィルタＳＦの模式的な正面図を図７に示す。図６及び図７中、数字（ｕ，ｖ）は、光源１０を構成する発光素子あるいは空間フィルタＳＦを構成する開口部５１の位置番号を示す。即ち、例えば、第（３，２）番目の開口部５１には、第（３，２）番目に位置する発光素子による２次元画像の所望のフーリエ変換像（例えば０次の回折に対応するフーリエ変換像）のみが入射し、第（３，２）番目の開口部５１を通過する。第（３，２）番目に位置する発光素子による２次元画像の所望のフーリエ変換像以外のフーリエ変換像は、空間フィルタＳＦによって遮られる。焦点距離ｆ2を有する第２のレンズＬ2の前側焦点面には空間フィルタＳＦが配置されている。更には、第２のレンズＬ2の後側焦点面と、焦点距離ｆ3を有する第３のレンズＬ3の前側焦点面とが一致するように、第２のレンズＬ2及び第３のレンズＬ3が配置されている。
【００５８】
空間フィルタＳＦにおける開口部５１の平面形状は、フーリエ変換像の形状に基づき決定すればよい。更には、フーリエ変換像の平面波成分のピーク位置が中心となるように、例えば０次の回折に対応するフーリエ変換像に対して開口部５１を設ければよい。これによって、各開口部５１の中心位置に、フーリエ変換像の光強度のピークが位置する。即ち、２次元画像における空間周波数が最低空間周波数成分（平面波成分）の場合におけるフーリエ変換像の周期的なパターンを中心として、２次元画像における正負の最高空間周波数を全て通過させ得るような開口部５１とすればよい。
【００５９】
前述したとおり、共役像形成手段６０は、具体的には、第２のレンズＬ2及び第３のレンズＬ3から構成されている。そして、焦点距離ｆ2を有する第２のレンズＬ2は、空間フィルタＳＦによってフィルタリングされたフーリエ変換像を逆フーリエ変換することにより、２次元画像形成装置３０によって形成された２次元画像の実像ＲＩを形成する。即ち、第２のレンズＬ2の後側焦点面に、２次元画像形成装置３０によって形成された２次元画像の実像ＲＩが形成されるように配置されている。ここで得られる実像ＲＩの２次元画像形成装置３０に対する倍率は、第２のレンズＬ2の焦点距離ｆ2を任意に選択することによって変化させることができる。また、焦点距離ｆ3を有する第３のレンズＬ3は、空間フィルタＳＦによってフィルタリングされたフーリエ変換像の共役像ＣＩを形成する。
【００６０】
ここで、第３のレンズＬ3の後側焦点面は空間フィルタＳＦの共役面であることから、空間フィルタＳＦ上の１つの開口部５１に相当する部分から、２次元画像形成装置３０によって生成された２次元画像が出力されていることと等価となる。そして、最終的に生成・出力される光線の量は、画素数分（Ｐ×Ｑ）であって、空間フィルタＳＦを通過した光線である。即ち、空間フィルタＳＦを通過する光線の光量が、それ以降の３次元像表示装置の構成要素を通過、反射することによって減少することは、実質的に無い。また、第３のレンズＬ3の後側焦点面にはフーリエ変換像の共役像ＣＩが形成されるが、２次元画像の共役像の方向成分は光源１０から出射され、２次元画像形成装置３０に入射する照明光の方向成分によって規定されるので、第３のレンズＬ3の後側焦点面においては、光線群が２次元的に整然と配置されているとみなせる。即ち、全体としては、第３のレンズＬ3の後側焦点面（共役像ＣＩが形成される面）に、図２６に示したプロジェクタ・ユニット１０１が複数の数（具体的にはＵ0×Ｖ0個）、配置されている状態と等価である。
【００６１】
図５の（Ａ）及び（Ｂ）に模式的に示すように、２次元画像形成装置３０における１つの画素３１によって、Ｘ方向及びＹ方向に沿って、合計、Ｍ×Ｎ組の回折光が生成される。尚、図５の（Ａ）及び（Ｂ）では、０次光（ｎ0＝０）、±１次光（ｎ0＝±１）、及び、±２次光（ｎ0＝±２）の回折光のみを代表して図示しているが、実際には、更に高次（例えば、±５次）の回折光が生成され、これらの回折光の一部（具体的には、例えば、０次光）に基づき、最終的に立体画像が形成される。尚、図５の（Ａ）は、発光素子１１Ｂから出射された光線によって形成された回折光を模式的に示し、図５の（Ｂ）は、発光素子１１Ａから出射された光線によって形成された回折光を模式的に示す。ここで、各回折次数の回折光（光束）には、２次元画像形成装置３０によって形成された２次元画像の全画像情報（全ての画素の情報）が集約されている。２次元画像形成装置３０上の同一画素から回折によって生成される複数の光線群は、同時刻において、全て、同一の画像情報を有する。云い換えれば、Ｐ×Ｑ個の画素３１を有する透過型の液晶表示装置から成る２次元画像形成装置３０においては、光源１０からの照明光が各画素３１によって変調されて２次元画像が生成され、且つ、生成された２次元画像における空間周波数は、各画素３１から生じる複数の回折次数（総計Ｍ×Ｎ）に対応した回折角に沿って出射される。即ち、２次元画像のＭ×Ｎ個の一種のコピーが２次元画像形成装置３０から、複数の回折次数（総計Ｍ×Ｎ）に対応した回折角に沿って出射される。
【００６２】
そして、２次元画像形成装置３０によって形成された２次元画像の全画像情報が集約された２次元画像における空間周波数は、第１のレンズＬ1によってフーリエ変換され、各画素３１から生じる複数の回折次数に対応する数のフーリエ変換像が生成される。そして、これらのフーリエ変換像の内、所定のフーリエ変換像（例えば、０次の回折に対応するフーリエ変換像）のみを空間フィルタＳＦを通過させ、更には、この選択されたフーリエ変換像が第２のレンズＬ2によって逆フーリエ変換され、２次元画像形成装置３０によって生成された２次元画像の共役像が形成され、この２次元画像の共役像は、第３のレンズＬ3に入射し、第３のレンズＬ3によって共役像ＣＩが結像される。尚、２次元画像における空間周波数は、画素構造の空間周波数をキャリア周波数とした画像情報に相当するが、０次の平面波を搬送波とする画像情報の領域のみ（即ち、画素構造の空間周波数の最大１／２の空間周波数まで）が、云い換えれば、平面波成分の０次回折をキャリア周波数とする１次回折として得られるものであって、光変調手段の画素構造（開口構造）の空間周波数の半分以下の空間周波数が、空間フィルタＳＦを通過する。こうして、第３のレンズＬ3によって結像された２次元画像の共役像にあっては、２次元画像形成装置３０の画素構造は含まれず、一方、２次元画像形成装置３０によって生成された２次元画像における空間周波数の全てが含まれている。そして、第３のレンズＬ3において、２次元画像の共役像における空間周波数のフーリエ変換像が生成されるので、空間的に高い密度にてフーリエ変換像を得ることができる。
【００６３】
以下、空間フィルタＳＦにおける開口部５１の開閉制御のタイミングについて説明する。
【００６４】
空間フィルタＳＦにおいては、所望の回折次数に対応するフーリエ変換像を選択するために、２次元画像形成装置３０の画像出力と同期して、開口部５１の開閉制御を行う。この操作を、図８、図９、及び、図１０を参照して説明する。尚、図８の最上段は、２次元画像形成装置３０における画像出力のタイミングを示しており、図８の中段は、空間フィルタＳＦにおける第（３，２）番目の開口部５１の開閉タイミングを示し、図８の下段は、第（３，３）番目の開口部５１の開閉タイミングを示す。
【００６５】
図８に示すように、２次元画像形成装置３０において、例えば時間ｔ1S〜ｔ1Eの間（期間ＴＭ1）に画像「Ａ」が表示され、時間ｔ2S〜ｔ2Eの間（期間ＴＭ2）に画像「Ｂ」が表示されるとする。このとき、光源１０においては、期間ＴＭ1にあっては第（３，２）番目の発光素子のみを発光状態とし、期間ＴＭ2にあっては第（３，３）番目の発光素子のみを発光状態とする。このように、離散して配された複数の光出射位置から順次出射され、２次元画像形成装置３０への入射方向が異なる照明光を使用し、しかも、係る照明光を各画素３１によって変調する。一方、空間フィルタＳＦにおいては、図８に示すように、期間ＴＭ1にあっては第（３，２）番目の開口部５１を、期間ＴＭ2にあっては第（３，３）番目の開口部５１を開状態とする。こうして、２次元画像形成装置３０における同じ画素３１において異なる回折次数として生成され、第１のレンズＬ1によって生成されるフーリエ変換像に、異なる画像情報を付加することができる。云い換えれば、期間ＴＭ1にあっては、第（３，２）番目の発光素子を発光状態とすることで、２次元画像形成装置３０における或る画素３１において得られる０次の回折次数を有するフーリエ変換像には、画像「Ａ」に関する画像情報、及び、照明光の２次元画像形成装置３０への入射方向情報が含まれている。一方、期間ＴＭ2にあっては、第（３，３）番目の発光素子を発光状態とすることで、２次元画像形成装置３０における同じ或る画素において得られる０次の回折次数を有するフーリエ変換像には、画像「Ｂ」に関する画像情報、及び、照明光の２次元画像形成装置３０への入射方向情報が含まれている。
【００６６】
図９に、２次元画像形成装置３０における画像形成のタイミングと開口部５１の制御のタイミングとを模式的に示す。期間ＴＭ1にあっては、２次元画像形成装置３０において画像「Ａ」が表示され、Ｍ×Ｎ個のフーリエ変換像が空間フィルタＳＦの対応する第（３，２）番目の開口部５１を中心としてフーリエ変換像「α」として集光される。期間ＴＭ1では、第（３，２）番目の開口部５１のみを開くので、０次の回折次数を有するフーリエ変換像「α」のみが空間フィルタＳＦを通過する。次の期間ＴＭ2にあっては、２次元画像形成装置３０において画像「Ｂ」が表示され、同様にＭ×Ｎ個のフーリエ変換像が空間フィルタＳＦの対応する第（３，３）番目の開口部５１を中心にフーリエ変換像「β」として集光される。期間ＴＭ2では、第（３，３）番目の開口部５１のみを開くので、０次の回折次数を有するフーリエ変換像「β」のみが空間フィルタＳＦを通過する。以下、順次、２次元画像形成装置３０の画像形成タイミングに同期して、空間フィルタＳＦにおける開口部５１の開閉制御を行う。尚、図９において、開状態の開口部５１を実線で囲み、閉状態の開口部５１を点線で囲んだ。また、開状態にある開口部５１を通過するフーリエ変換像「α」，「β」，「γ」は、０次の回折次数に基づき得られる像であるが故に、明るい。一方、閉状態にある開口部５１の部分に衝突するフーリエ変換像「α」，「β」，「γ」は、高次の回折次数に基づき得られる像であるが故に、暗い。従って、場合によっては、空間フィルタＳＦは不要である。空間フィルタＳＦが占める空間を或る時間長さで眺めた場合、Ｕ0×Ｖ0個の輝点（フーリエ変換像）が２次元マトリクス状に並んだ状態（図２に示した状態に類似した状態）が見られるであろう。
【００６７】
このようなタイミングで２次元画像形成装置３０における画像形成と開口部５１の開閉制御とを行った場合に、この３次元像表示装置の最終出力として得られる画像を、図１０に模式的に示す。図１０において、画像「Ａ’」は、第（３，２）番目の開口部５１のみを開くので、第（３，２）番目の発光素子が発光状態にあるときの０次の回折次数を有するフーリエ変換像「α」のみが空間フィルタＳＦを通過する結果得られる画像であり、画像「Ｂ’」は、第（３，３）番目の開口部５１のみを開くので、第（３，３）番目の発光素子が発光状態にあるときの０次の回折次数を有するフーリエ変換像「β」のみが空間フィルタＳＦを通過する結果得られる画像であり、画像「Ｃ’」は、第（４，２）番目の開口部５１のみを開くので、第（４，２）番目の発光素子が発光状態にあるときの０次の回折次数を有するフーリエ変換像「γ」のみが空間フィルタＳＦを通過する結果得られる画像である。尚、図１０に示す画像は、観察者が眺める画像である。図１０においては、便宜上、画像と画像とを実線で区分したが、係る実線は仮想の実線である。また、正確には、同時刻に、図１０に示した画像が得られるわけではないが、画像の切り替え期間は非常に短時間なので、観察者の目には同時に表示されているように観察される。例えば、１フレームの表示期間内に、全ての離散して配された光出射位置に基づく（Ｕ0×Ｖ0）個の画像の選択が行われる。また、図１０では平面的に図示しているが、観察者に実際に観察されるのは立体画像である。
【００６８】
即ち、前述したように、第３のレンズＬ3の後側焦点面からは、（例えば、時系列的に、画像「Ａ’」、画像「Ｂ’」・・・画像「Ｃ’」）が出力される。即ち、全体としては、第３のレンズＬ3の後側焦点面に、図２６に示したプロジェクタ・ユニットが複数の離散して配された光出射位置の数（具体的にはＵ0×Ｖ0個）、配置されており、時系列的に、或るプロジェクタ・ユニットから画像「Ａ’」が出力され、別のプロジェクタ・ユニットから画像「Ｂ’」が出力され、更に別のプロジェクタ・ユニットから画像「Ｃ’」が出力されると等価となる。そして、例えば、或る物体を種々の位置（角度）から撮影した多数の画像（あるいは、コンピュータによって作成した画像）のデータに基づき、２次元画像形成装置３０において画像を時系列的に再生すれば、これらの画像に基づき立体画像を得ることができる。
【００６９】
空間フィルタＳＦに設けられた開口部５１の開閉制御を、全ての開口部５１に対して行わなくともよい。即ち、例えば、１つおきに開口部５１の開閉制御を行ってもよいし、所望の位置に位置する開口部５１だけの開閉制御を行ってもよい。
【００７０】
以上に説明したように、実施例１の３次元像表示装置１によれば、所定の発光素子１１を発光させる一方、フーリエ変換像選択手段５０［空間フィルタＳＦ］における所望の開口部５１を開口する。従って、光変調手段［２次元画像形成装置］３０によって生成された２次元画像における空間周波数が、複数の回折次数に対応した回折角に沿って出射され、フーリエ変換像形成手段４０［第１のレンズＬ1］によってフーリエ変換されることで得られたフーリエ変換像は、フーリエ変換像選択手段５０［空間フィルタＳＦ］によって、空間的、且つ、時間的にフィルタリングされ、そのフィルタリングされたフーリエ変換像の共役像ＣＩが形成される構成を有するので、３次元像表示装置全体を大型化することなく、空間的に高い密度で、しかも、複数の方向に分布した状態で、光線群を生成・散布することができる。また、光線群の構成要素である個々の光線を、独立して、時間的及び空間的に制御することができる。これにより、実世界の物体と同質に近い光線による立体画像を得ることができる。
【００７１】
また、実施例１の３次元像表示装置１によれば、光線再生法を利用しているので、焦点調節、輻輳、運動視差などの視覚機能を満足した立体画像を提供することが可能である。更には、実施例１の３次元像表示装置１によれば、複数の離散（離間）して配された光出射位置に依存して２次元画像形成装置３０への入射方向が異なる照明光を効率的に利用しているので、従来の画像出力手法と比較して、１つの画像出力デバイス［２次元画像形成装置３０］によって制御可能な光線を、離散して配された光出射位置の数だけ（即ち、Ｕ0×Ｖ0個）、得ることができる。しかも、実施例１の３次元像表示装置１によれば、空間的、且つ、時間的にフィルタリングを行うので、３次元像表示装置の時間的特性を、３次元像表示装置の空間的特性に変換することができる。また、拡散スクリーン等を用いること無く、立体画像を得ることができる。更には、どのような方向からの観察に対しても適切な立体画像を提供することができる。また、空間的に高い密度で光線群を生成・散布することができるので、視認限界に近い精細な空間画像を提供することができる。
【実施例２】
【００７２】
実施例２は、実施例１の変形である。実施例２の３次元像表示装置の概念図を、図１１及び図１２に示す。実施例１の３次元像表示装置にあっては、光透過型の２次元画像形成装置３０を用いた。一方、実施例２の３次元像表示装置にあっては、反射型の光変調手段［２次元画像形成装置］３０Ａを用いる。反射型の光変調手段［２次元画像形成装置］３０Ａとして、例えば、反射型の液晶表示装置を挙げることができる。
【００７３】
図１１に示す実施例２の３次元像表示装置にあっては、ｚ軸（光軸）上にビームスプリッタ７０が備えられている。ビームスプリッタ７０は、偏光成分の違いにより光を透過又は反射させる機能を有する。ビームスプリッタ７０は、光源１０から出射された照明光の内、例えば、Ｓ偏光成分の光を反射型の光変調手段［２次元画像形成装置］３０Ａに向けて反射し、Ｐ偏光成分の光は透過する。また、光変調手段［２次元画像形成装置］３０Ａからの変調された反射光を透過する。一方、図１２に示す実施例２の３次元像表示装置にあっては、ビームスプリッタ７０は、光源１０から出射された照明光の内、例えば、Ｐ偏光成分の光を透過して、反射型の光変調手段［２次元画像形成装置］３０Ａに向けて出射し、Ｓ偏光成分の光を反射する。また、光変調手段［２次元画像形成装置］３０Ａからの変調された反射光を反射する。これらの点を除き、実施例２の３次元像表示装置の構成、構造は、実施例１の３次元像表示装置の構成、構造と同様とすることができるので、詳細な説明は省略する。
【００７４】
尚、反射型の光変調手段［２次元画像形成装置］として、代替的に、各開口内に可動ミラーが設けられている構成（可動ミラーが２次元マトリクス状に配列された２次元型のＭＥＭＳから成る構成）を採用することもでき、この場合には、可動ミラーの移動／非移動によって２次元画像が生成され、しかも、開口によってフラウンホーファー回折が発生する。尚、２次元型のＭＥＭＳを採用する場合にはビームスプリッタは不要であり、２次元型のＭＥＭＳに対して斜め方向から照明光を入射させればよい。
【実施例３】
【００７５】
実施例３は、実施例１の変形であり、光源１０の異なる光出射位置から順次出射された光の光強度を測定するための光検出手段８０が備えられている。具体的には、実施例３にあっては、光検出手段８０はホトダイオードから成り、図１３に実施例３の３次元像表示装置のｙｚ平面における概念図を示すように、光源１０と２次元画像形成装置３０との間、より具体的には、コリメータレンズ１２と２次元画像形成装置３０との間に、部分反射ミラー［パーシャルリフレクター］８１が配置されており、光源１０から２次元画像形成装置３０へと入射する光の一部を取り出して、レンズ８３を介して光検出手段８０に入射させている。
【００７６】
あるいは又、図１４に概念図を示すように、空間フィルタＳＦ［フーリエ変換像選択手段５０］の後方に、より具体的には、第２のレンズＬ2の後方に、部分反射ミラー８２が配置されており、空間フィルタＳＦ［フーリエ変換像選択手段５０］から出射した光の一部を取り出して、レンズ（図示せず）を介して光検出手段８０に入射させている。
【００７７】
そして、光検出手段における光強度の測定結果に基づき、光源１０の発光状態を制御する。具体的には、図１５に概念図を示すように、２次元画像形成装置３０、光源１０、及び、空間フィルタＳＦ［フーリエ変換像選択手段５０］の動作は、制御回路９０によって制御される。より具体的には、制御回路９０は、パルス幅変調（ＰＷＭ）制御方式に基づき発光素子１１のオン／オフ制御を行う光源制御回路９３、及び、２次元画像形成装置駆動回路９１から構成されている。光源制御回路９３は、発光素子駆動回路９４及び光検出手段制御回路９５を備えている。制御回路９０は、周知の回路とすることができる。
【００７８】
発光素子１１の発光状態は、ホトダイオードから成る光検出手段８０によって測定され、光検出手段８０からの出力は光検出手段制御回路９５に入力され、光検出手段制御回路９５において、発光素子１１の例えば輝度及び色度としてのデータ（信号）とされ、係るデータが光源制御回路９３に送られて基準データと比較され、その結果に基づき、次の発光における同じ発光素子１１の発光状態が、光源制御回路９３の制御下、発光素子駆動回路９４によって制御されるといったフィードバック機構が形成される。また、発光素子１１の下流には電流検出用の抵抗体ｒが、発光素子１１と直列に挿入されており、抵抗体ｒを流れる電流が電圧に変換され、抵抗体における電圧降下が所定の値となるように、光源制御回路９３の制御下、発光素子駆動電源９６の動作が制御される。
【００７９】
あるいは又、光検出手段における光強度の測定結果に基づき、２次元画像形成装置３０の作動状態を制御する。具体的には、発光素子１１の発光状態は、ホトダイオードから成る光検出手段８０によって測定され、光検出手段８０からの出力は光検出手段制御回路９５に入力され、光検出手段制御回路９５において、発光素子１１の例えば輝度及び色度としてのデータ（信号）とされ、係るデータが光源制御回路９３に送られて基準データと比較され、その結果が、２次元画像形成装置駆動回路９１に送られる。そして、その結果に基づき、同じ発光素子１１の次の発光時において、画素３１の開口における開口率（光透過率）が制御されるといったフィードバック機構が形成される。尚、光源１０の発光状態の制御と、２次元画像形成装置３０の作動状態の制御を、併せて行ってもよい。また、光検出手段８０における光強度の測定結果に基づき、空間フィルタＳＦ［フーリエ変換像選択手段５０］の作動状態を制御する。空間フィルタＳＦ［フーリエ変換像選択手段５０］の開口部５１における開口率（光透過率）を制御することにより、輝度の補正を可能とする。
【００８０】
実施例２において図１１及び図１２を参照して説明した３次元像表示装置に、光検出手段８０を組み込んだ例、即ち、光源１０と２次元画像形成装置３０との間にビームスプリッタ７０を配置し、光源１０から２次元画像形成装置３０へと入射する光の一部を取り出して、レンズ（図示せず）を介して光検出手段８０に入射させる３次元像表示装置を、図１６及び図１７に示す。
【００８１】
また、光検出手段８０を２次元画像形成装置３０に取り付けた例を、図１８に示す。尚、図６に示した発光素子１１のそれぞれの近傍に光検出手段８０を配置してもよいし、あるいは又、発光素子１１に光検出手段を組み込んでもよいし、光源１０から２次元画像形成装置３０へと入射する光を遮らない位置に光検出手段を配置してもよい。
【００８２】
以上、本発明の３次元像表示装置を好ましい実施例に基づき説明したが、本発明はこれらの実施例に限定するものではない。実施例においては、光源１０と光変調手段［２次元画像形成装置］３０，３０Ａとの間にコリメータレンズ１２を配置したが、その代わりに、マイクロレンズが２次元マトリクス状に配列されたマイクロレンズアレイを用いることもできる。
【００８３】
光源１０が２次元マトリクス状に配列された複数の発光素子１１を具備し、各発光素子１１から出射される光の出射方向が異なるように各発光素子１１を配置してもよい。これによって、光源の異なる光出射位置から順次出射され、入射方向が異なる照明光によって、光変調手段あるいは２次元画像形成装置を照明することができる。実施例１の３次元像表示装置において、このような構成の光源を採用したときの３次元像表示装置の概念図を、図１９に示す。尚、図１９においては、光源１０を構成する発光素子１１Ａから出射された光束の１本を実線で示し、発光素子１１Ｂから出射された光束の１本を一点鎖線で示し、発光素子１１Ｃから出射された光束の１本を点線で示す。また、発光素子１１Ａ，１１Ｂ，１１Ｃから出射された照明光によって形成された空間フィルタＳＦにおける像の位置を、それぞれ、符号（１１Ａ），（１１Ｂ），（１１Ｃ）で示し、発光素子１１Ａ，１１Ｂ，１１Ｃから出射された照明光によって形成された第３のレンズＬ3の後側焦点面における像の位置を、それぞれ、符号（１１ａ），（１１ｂ），（１１ｃ）で示す。また、光変調手段［２次元画像形成装置］３０、フーリエ変換像形成手段４０［第１のレンズＬ1］、フーリエ変換像選択手段５０［空間フィルタＳＦ］の近傍を拡大した概念図であって、光源１０を構成する発光素子１１Ａ，１１Ｂ，１１Ｃから出射された光束が、２次元画像形成装置３０、第１のレンズＬ1、及び、空間フィルタＳＦを通過する状態を、模式的に、図２０、図２１、及び、図２２に示す。尚、光源１０を構成する発光素子１１Ａ，１１Ｂ，１１Ｃのそれぞれの位置番号は、例えば、第（５，０）番目、第（０，０）番目、及び、第（−５，０）番目である。ここで、或る発光素子が発光状態にあるときには、他の全ての発光素子は消灯状態となる。尚、図１９において、参照番号２０は、照明光を整形するためのレンズから構成された照明光学系である。
【００８４】
あるいは又、光源を、発光素子、及び、該発光素子から出射された光の進行方向を変更するための光線進行方向変更手段を備えている構成とすることもできる。具体的には、例えば、ポリゴン・ミラーをその回転軸を中心として回転させながら、回転軸の傾斜角を制御すればよい。あるいは又、光線進行方向変更手段を、曲面から構成された凸面鏡、曲面から構成された凹面鏡、多面体から構成された凸面鏡、多面体から構成された凹面鏡から構成し、鏡から出射するときの照明光の光出射位置を、鏡の位置等の制御を行うことで変化（変更）すればよい。
【００８５】
また、空間フィルタＳＦ［フーリエ変換像選択手段５０］の代わりに、光出射位置の数に対応した数の開口部を有し、第１のレンズＬ1の後側焦点面に位置する散乱回折制限部材を備えている構成とすることもできる。この散乱回折制限部材は、例えば、光を通さない板状部材に開口部（例えば、ピンホール）を設けることで作製することができる。ここで、開口部の位置は、フーリエ変換像選択手段あるいは第１のレンズによって得られるフーリエ変換像［あるいは回折光］の内の所望の（例えば、０次の回折次数を有する）フーリエ変換像［あるいは回折光］が結像する位置とすればよく、係る開口部の位置は、離散して配された光出射位置に対応させればよい。
【００８６】
実施例１及び実施例２においては、フーリエ変換像形成手段４０を構成するレンズ［第１のレンズＬ1］の前側焦点面に光変調手段［２次元画像形成装置］３０，３０Ａや回折光生成手段が配置されており、後側焦点面にフーリエ変換像選択手段が配置されている構成としたが、場合によっては、最終的に得られる立体画像に劣化が生じるものの、係る劣化が許容されるならば、フーリエ変換像形成手段４０を構成するレンズ［第１のレンズＬ1］の前側焦点面からずれた位置に光変調手段［２次元画像形成装置］３０，３０Ａや回折光生成手段を配置してもよいし、後側焦点面からずれた位置に空間フィルタＳＦ［フーリエ変換像選択手段５０］を配置してもよい。また、第１のレンズＬ1、第２のレンズＬ2、第３のレンズＬ3は凸レンズに限定されず、適宜、適切なレンズを選択すればよい。
【００８７】
実施例１及び実施例２においては、光源は全ての場合において単色若しくは単色に近い光源であることを前提としているが、光源は、このような構成に限定するものではない。光源１０の波長帯域が複数の帯域に及んでもよい。但し、この場合には、例えば、実施例１における３次元像表示装置を例にとり説明すると、図２３の（Ａ）に示すように、コリメータレンズ１２と光変調手段［２次元画像形成装置］３０との間に、波長選択を行う狭帯域フィルタ７１を配置することが好ましく、これによって、波長帯域を分別、選択し、単色光を抽出することができる。
【００８８】
あるいは又、光源１０の波長帯域が広帯域に及んでもよい。但し、この場合には、図２３の（Ｂ）に示すように、コリメータレンズ１２と光変調手段［２次元画像形成装置］３０との間に、ダイクロイックプリズム７２及び波長選択を行う狭帯域フィルタ７１Ｇを配置することが好ましい。具体的には、ダイクロイックプリズム７２は、例えば赤色光、青色光を別々の方向に反射すると共に、緑色光を含む光線を透過する。ダイクロイックプリズム７２における緑色光を含む光線の出射側に、緑色光を分別・選択する狭帯域フィルタ７１Ｇが配置されている。
【００８９】
また、図２４に示すように、ダイクロイックプリズム７２における緑色光を含む光線の出射側に緑色光を分別・選択する狭帯域フィルタ７１Ｇを配置し、赤色光を含む光線の出射側に赤色光を分別・選択する狭帯域フィルタ７１Ｒを配置し、青色光を含む光線の出射側に、青色光を分別・選択する狭帯域フィルタ７１Ｂを配置すれば、３原色を表示する３つの３次元像表示装置に対する光源を構成することができる。このような構成の３つの３次元像表示装置を用い、あるいは又、赤色光を出射する光源と３次元像表示装置、緑色光を出射する光源と３次元像表示装置、及び、青色光を出射する光源と３次元像表示装置の組合せを用い、各３次元像表示装置からの画像を、例えば光合成プリズムを用いて合成することで、カラー表示を行うことができる。尚、ダイクロイックプリズムの代わりに、ダイクロイックミラーを用いることもできる。あるいは又、光源を、赤色発光素子、緑色発光素子、及び、青色発光素子から構成し、これらの赤色発光素子、緑色発光素子、及び、青色発光素子を、順次、発光状態とすることで、カラー表示を行うこともできる。尚、以上に説明したこれらの３次元像表示装置の変形例は実施例２に適用することができることは云うまでもない。
【００９０】
更には、以上に説明した種々の３次元像表示装置の変形例に対して、実施例３において説明した光検出手段を備えることができる。また、発光素子の温度を温度センサーで監視し、その結果を、光源制御回路９３にフィードバックすることで、発光素子の輝度補償（補正）や温度制御を行ってもよい。具体的には、例えば、発光素子にペルチェ素子を取り付けることで、発光素子の温度制御を行うことができる。
【図面の簡単な説明】
【００９１】
【図１】図１は、実施例１の３次元像表示装置のｙｚ平面における概念図である。
【図２】図２は、実施例１の３次元像表示装置を斜めから見たときの概念図である。
【図３】図３は、実施例１の３次元像表示装置の構成要素の配置状態を模式的に示す図である。
【図４】図４は、実施例１の３次元像表示装置の一部を拡大した概念図である。
【図５】図５の（Ａ）及び（Ｂ）は、光変調手段［２次元画像形成装置］によって、複数の回折次数の回折光が生成される状態を模式的に示す図である。
【図６】図６は、光源の模式的な正面図である。
【図７】図７は、空間フィルタの模式的な正面図である。
【図８】図８は、光変調手段［２次元画像形成装置］における２次元画像の形成タイミングとフーリエ変換像選択手段［空間フィルタ］の開口部の開閉タイミングとを示す図であり、上段には、光変調手段［２次元画像形成装置］における２次元画像の形成タイミングを示し、中段及び下段には、フーリエ変換像選択手段［空間フィルタ］の開口部の開閉タイミングを示す。
【図９】図９は、フーリエ変換像選択手段［空間フィルタ］による空間フィルタリングの概念を模式的に時系列で示す図である。
【図１０】図１０は、図９に示した空間フィルタリングの結果得られる画像を模式的に示す図である。
【図１１】図１１は、実施例２の３次元像表示装置の一部分のｙｚ平面における概念図である。
【図１２】図１２は、実施例２の変形例の３次元像表示装置の一部分のｙｚ平面における概念図である。
【図１３】図１３は、実施例３の３次元像表示装置のｙｚ平面における概念図である。
【図１４】図１４は、実施例３の３次元像表示装置の変形例のｙｚ平面における概念図である。
【図１５】図１５は、２次元画像形成装置及び光源の動作を制御する制御回路の概念図である。
【図１６】図１６は、実施例３の３次元像表示装置の別の変形例の概念図である。
【図１７】図１７は、実施例３の３次元像表示装置の更に別の変形例の概念図である。
【図１８】図１８は、２次元画像形成装置に光検出手段を取り付けた例を説明するための概念図である。
【図１９】図１９は、実施例１の変形例の３次元像表示装置のｙｚ平面における概念図である。
【図２０】図２０は、図１９に示す実施例１の変形例の３次元像表示装置の一部を拡大した概念図（但し、或る発光素子が発光状態にある）である。
【図２１】図２１は、図１９に示す実施例１の変形例の３次元像表示装置の一部を拡大した概念図（但し、別の発光素子が発光状態にある）である。
【図２２】図２２は、図１９に示す実施例１の変形例の３次元像表示装置の一部を拡大した概念図（但し、更に別の発光素子が発光状態にある）である。
【図２３】図２３の（Ａ）及び（Ｂ）は、実施例１の３次元像表示装置の変形例の一部分のｙｚ平面における概念図である。
【図２４】図２４は、実施例１の３次元像表示装置の変形例の別の変形例の一部分のｙｚ平面における概念図である。
【図２５】図２５は、実施例１の３次元像表示装置を複数組み合わせたマルチユニット方式の３次元像表示装置を示す構成図である。
【図２６】図２６は、従来の３次元像表示装置の一構成例を示す図である。
【符号の説明】
【００９２】
１・・・３次元像表示装置、１０・・・光源、１１Ａ，１１Ｂ，１１Ｃ・・・発光素子、１２・・・コリメータレンズ、２０・・・照明光学系、３０・・・光変調手段［２次元画像形成装置］、３１・・・画素、４０・・・フーリエ変換像形成手段、５０・・・フーリエ変換像選択手段、５１・・・開口部、６０・・・共役像形成手段、７０・・・ビームスプリッタ、７１，７１Ｒ，７１Ｇ，７１Ｂ・・・狭帯域フィルタ、７２・・・ダイクロイックプリズム、Ｌ1・・・第１のレンズ、Ｌ2・・・第２のレンズ、Ｌ3・・・第３のレンズ、ＳＦ・・・空間フィルタ、ＲＩ・・・実像（逆フーリエ変換像）、ＣＩ・・・フーリエ変換像の共役像、８０・・・光検出手段、８１，８２・・・部分反射ミラー［パーシャルリフレクター］、８３・・・レンズ、９０・・・制御回路、９１・・・２次元画像形成装置駆動回路、９３・・・光源制御回路、９４・・・発光素子駆動回路、９５・・・光検出手段制御回路、９６・・・発光素子駆動電源、ｒ・・・抵抗体
【図１】
2008216955.tif 000003
【図３】
2008216955.tif 000004
【図４】
2008216955.tif 000005
【図５】
2008216955.tif 000006
【図６】
2008216955.tif 000007
【図７】
2008216955.tif 000008
【図８】
2008216955.tif 000009
【図９】
2008216955.tif 000010
【図１０】
2008216955.tif 000011
【図１１】
2008216955.tif 000012
【図１２】
2008216955.tif 000013
【図１３】
2008216955.tif 000014
【図１４】
2008216955.tif 000015
【図１５】
2008216955.tif 000016
【図１６】
2008216955.tif 000017
【図１７】
2008216955.tif 000018
【図１８】
2008216955.tif 000019
【図１９】
2008216955.tif 000020
【図２０】
2008216955.tif 000021
【図２１】
2008216955.tif 000022
【図２２】
2008216955.tif 000023
【図２３】
2008216955.tif 000024
【図２４】
2008216955.tif 000025
【図２５】
2008216955.tif 000026
【図２６】
2008216955.tif 000027
【図２】
2008216955.tif 000028